(57)【要約】【課題】  少なくとも１つのアクセスポイントのための携帯モジュラー無線識別信号送信機と無線アクセス制御システムを改良する。【解決手段】  本発明による携帯モジュラー無線識別信号送信機（３０；１００）は、ドア、ゲート等のようなアクセスポイント（１２、１６、２０、２４）を遠隔で作動（特に開放及び／又は閉鎖）し、ハウジング（３２；１０２）が各々交換可能なシステムモジュール（５２、６２、７２）を収容するための外部からアクセス可能な少なくとも１つのレセプタクル（５０、６０、７０）を有し、無線アクセス制御システム（１１）の識別コード（５６、６６、７６）がシステムモジュール（５２、６２、７２）に記憶されている。制御装置（３４）がハウジング（３２）に常設的に配置されていて収容されているシステムモジュール（５２、６２、７２）の識別コード（５６、６６、７６）を読み取る。少なくとも１つの送信装置（３６）がハウジング（３２；１０２）に常設的に配置され、制御装置（３４）と協働して、アクセス制御システム（１１）の読み取り装置（１８、２２、２６）に収容されているシステムモジュール（５２、６２、７２）の識別コード（５６、６６、７６）を送信する。読み取り装置（１８、２２、２６）がアクセスポイント（１６、２０、２４）に割り当てられている。収容されたシステムモジュール（５２、６２、７２）に応じて、複数のアクセスポイント（１６、２２、２４）を複数の異なる無線アクセス制御技術（Ａ−Ｄ）で開放及び閉鎖するために識別信号送信機（３０；１００）が使用され得る。
2006505967.tif 000002
【特許請求の範囲】
【請求項１】
ドア、ゲート等のようなアクセスポイント（１２、１６、２０、２４）を遠隔で作動し、特に開放及び／又は閉鎖し、
ハウジング（３２；１０２）が各々交換可能なシステムモジュール（５２、６２、７２）を収容するための外部からアクセス可能な少なくとも１つのレセプタクル（５０、６０、７０）を有していて、無線アクセス制御システム（１１）の識別コード（５６、６６、７６）がシステムモジュール（５２、６２、７２）に記憶されており、
制御装置（３４）がハウジング（３２；１０２）に常設的に配置されていて収容されているシステムモジュール（５２、６２、７２）の識別コード（５６、６６、７６）を読み取るように構成されており、
少なくとも１つの送信装置（３６）がハウジング（３２；１０２）に常設的に配置されていて、制御装置（３４）と共同して、アクセス制御システム（１１）の読み取り装置（１８、２２、２６）に収容されているシステムモジュール（５２、６２、７２）の識別コード（５６、６６、７６）を送信する目的を有し、この読み取り装置（１８、２２、２６）がアクセスポイント（１６、２０、２４）に割り当てられており、
複数のアクセスポイント（１６、２２、２４）を複数の異なる無線アクセス制御技術（Ａ−Ｄ）で開放及び閉鎖するために識別信号送信機（３０；１００）が使用され得る、
携帯モジュラー無線識別信号送信機（３０；１００）。
【請求項２】
読み取り装置（１８、２２、２６）から信号を受信するための受信装置（３６）を有することを特徴とする請求項１に記載の識別信号送信機。
【請求項３】
アンテナ（３６）がハウジング（３０；１０２）に常設的に配置されていて、送信装置及び／又は受信装置を形成していることを特徴とする請求項１又は２に記載の識別信号送信機。
【請求項４】
ハウジング（３０；１０２）が、異なるシステムモジュール（５２、６２、７２）をいずれの場合も収容するための複数のレセプタクル（５０、６０、７０）を有することを特徴とする請求項１〜３のいずれか１項に記載の識別信号送信機。
【請求項５】
少なくとも１つのシステムモジュールが、一体化された制御及び送信装置を有していて、中心的な制御装置（３４）又は送信装置（３６）への接続を有さないことを特徴とする請求項１〜４のいずれか１項に記載の識別信号送信機。
【請求項６】
アクセス制御システム（１１Ａ）のための識別コード（４０）が、ハウジング（３０；１０２）に常設的に配置されたシステムモジュール（３８）に記憶されていることを特徴とする請求項１〜５のいずれか１項に記載の識別信号送信機。
【請求項７】
ハウジング（３２；１０２）が、エネルギー貯蔵（４４）のためのレセプタクル（４２）有することを特徴とする請求項１〜６のいずれか１項に記載の識別信号送信機。
【請求項８】
レセプタクル（４２）内に挿入される再充電可能な蓄電池（４４）を充電するためのインターフェース（１１４）が、ハウジング（１０２）に設けられていることを特徴とする請求項６に記載の識別信号送信機。
【請求項９】
外側からアクセスされ得る少なくとも１つの電気接点（１１４）が、充電インターフェース（１１４）としてハウジング（１０２）に設けられていることを特徴とする請求項８に記載の識別信号送信機。
【請求項１０】
プログラミング媒体（８２）に接続するためのインターフェース（８０）が、ハウジング（３２）に設けられていることを特徴とする請求項１〜９のいずれか１項に記載の識別信号送信機。
【請求項１１】
制御装置（３４）がプログラム制御されたロッキング手段を有し、これを用いて個々のシステムモジュール（３８、５２、６２、７２）がロックされることが可能であり、それらの記憶された識別コード（４０、５６、６６、７６）が送信されないようになっていることを特徴とする請求項１〜１０のいずれか１項に記載の識別信号送信機。
【請求項１２】
ハウジングが使用可能モジュール（８６）のためのレセプタクル（８４）を有し、もし使用可能モジュール（８６）が収容されない場合に、少なくとも１つのシステムモジュール（３８、５２、６２、７２）がロックされてその記憶された識別コード（４０、５６、６６、７６）が送信されないようになっていることを特徴とする請求項１〜１１のいずれか１項に記載の識別信号送信機。
【請求項１３】
制御装置（３４）に接続される少なくとも１つの起動エレメント（４６；１０４−１０８）がハウジング（３２；１０２）の外側に設けられていて、起動エレメント（４６；１０４）が起動されたときに、制御装置（３４）が少なくとも１つのシステムモジュール（３８、５２、６２、７２）の識別コード（４０、５６、６６、７６）を読み取り、制御装置（３４）が、識別コード（４０、５６、６６、７６）を送信する目的で、送信装置（３６）を作動させることを特徴とする請求項１〜１２のいずれか１項に記載の識別信号送信機。
【請求項１４】
制御装置（３４）は、受信装置（３６）が起動信号を受信したか否かを定期的に応答させ、起動信号が受信されたときに、それが、少なくとも１つのシステムモジュール（３８、５２、６２、７２）の識別コード（４０、５６、６６、７６）を読み取り、識別コード（４０、５６、６６、７６）を送信する目的で送信装置（３６）を作動させることを特徴とする請求項２〜１３のいずれか１項に記載の識別信号送信機。
【請求項１５】
少なくとも１つの機械キー（１１２）がハウジング（１０２）に載置されていて、突出したロッキング位置（１１２）とハウジング（１０２）の近傍の休止位置（１１２）の間で移動可能になっていることを特徴とする請求項１〜１４のいずれか１項に記載の識別信号送信機。
【請求項１６】
アクセス制御システム（１０）が、アクセスポイント（１２、１６、２０、２４）のためのロックと、アクセスポイントに割り当てられる読み取り装置（１４、１８、２２、２６）を有し、有効な識別コード（４０、５６、６６、７６）が受信されたときに、それがアクセスポイント（１２、１６、２０、２４）を開放する目的でロックを作動させ、アクセス制御システム（１１）が、請求項１〜１５のいずれか１項に記載の少なくとも１つの携帯モジュラー識別信号送信機（３０、１００）を有する、ドア又はゲートのような少なくとも１つのアクセスポイント（１２、１６、２０、２４）ための無線アクセス制御システム。
【発明の詳細な説明】
【技術分野】
【０００１】
本発明は、ドア、ゲートのような複数のアクセスポイントを遠隔で作動、特に開放及び閉鎖するための、携帯モジュラー無線（ワイヤレス）識別信号送信機に関する。
【０００２】
本発明はまた、アクセス制御システムが、アクセスポイントのためのロックと、アクセスポイントに割り当てられる読み取り装置を有し、有効な識別コードが受信されたときに、それがアクセスポイントを開放する目的でロックを作動させ、アクセス制御システムが、携帯モジュラー無線識別信号送信機を有する、ドア又はゲートのような少なくとも１つのアクセスポイントのための無線アクセス制御システムに関する。
【背景技術】
【０００３】
このような識別信号送信機は、アクセス制御システム及び設備のエレメントとして公知である。アクセス制御システムは、現文脈においては個々のアクセスポイントを制御するシステムとして理解される。アクセス制御設備は、現文脈においては同じ技術に基づいた複数のこのようなアクセス制御システムとして理解される。これは以下においても説明される。
【０００４】
このようなアクセス制御システム及び設備は、例えば、比較的大きなオフィス及び会社コンビナートで使用される。それらは、コンビナート内にいる人が、彼等が権限を与えられたそのような空間領域に排他的にアクセスすることを許可している。
【０００５】
伝統的なアプローチによれば、この目的のためロックシステムと言われるものが使用される。このようなシステムにおいて、同じロック技術に基づいた複数の機械ロックが例えばオフィスコンビナート内で使用される。複数のロックはコード化されていて、ある機械キーが一般に特定のオフィス領域への排他的なアクセスを提供するようになっている。加えて、全てのキーは一般にオフィスコンビナート内の共通領域へのアクセスを提供する。この単純な識別機能は、所望のように修正され得る。例えば会社の全ての雇用者がオフィスコンビナート内のオフィスルーム内にアクセスすることが可能である。もっとも、会社の会計士及び所有者のみが、追加的に会計室へのアクセスを可能にするキーを有している。
【０００６】
このようなアクセス制御システム及び設備は、長年の間、無接点原理のもとで利用可能であった。例えば、バッテリーのない受動応答機が、“クリップタック”の名称を備えたキータグ又はアタッチメントとして本願出願人により公知である。加えて、受信応答器もまた、小切手カードフォーマットのＩＳＯ応答器カード形式で公知である。
【０００７】
２つのロック媒体は、受動応答器として構成される。それらはアンテナコイルとアンテナコイルに連結されたチップとを有する。電圧は、読み出された信号を用いて、アンテナコイルに誘導され得る。電圧は、チップにより使用されてそれに記憶された識別コードを読み出し、それを信号上に変調する。変調された信号は、更に誘導エネルギーを用いて放射され、読み取り装置により読み取られる。
【０００８】
このような受動応答器は、数センチメートルからほぼ２０〜３０ｃｍまでの距離にわたって読み取られ得る。
【０００９】
応答器に基づいたアクセス制御システム及び設備は、異なる技術に基づいて商業的に利用可能である。その技術に応じて、異なるビット数、異なる送信及び受信周波数、異なる送信及び受信プロトコル等を備えた識別コードが使用される。これらの異なる“技術”は、互いに互換性は無い。これは、１の技術の応答器が別の技術の読み取り装置により読み取られ得ず、逆の場合も同じであることを意味している。
【００１０】
建築技術の分野に限らず、非接触又は無線アクセス制御技術への増加傾向がある。例えば、車両部門において、赤外及び無線に基づいたアクセス制御システムがある。これらのシステムにおいて、車両の運転者により持ち運ばれる識別信号送信機は、起動送信機として一般に実現されている。識別信号送信機は、結果として一般に電力を供給するための蓄電池と、蓄電池から給電されるチップと、アンテナを有する。多くのシステムにおいて、車両の運転者は、チップに記憶された識別コードが送信される工程を開始させる目的で、識別信号送信機のノブを押圧しなければならない。もし彼の車両が、識別信号送信機の送信範囲に位置するなら、識別コードがその車により受信され、正確さがチェックされて、車両にアクセスすることが許容される。これは、中央ロッキングシステムをアンロックすることにより、一般に行われる。
【００１１】
これらのアクセス制御システムは、イモビライザとしばしば連結される。この場合、受動応答器は、識別信号送信機にしばしば配置される。受動応答器は、さらに、例えばイグニションロックの領域に配置されうる車両内の読み取り装置により読み取られる。車両のイグニション及び他の電気システムは、例えば中央のロッキングシステムが開放されても、有効な応答器が読み取られるまで、ロックされたままである。
【００１２】
車両のための他のアクセス制御システムにおいて、識別信号送信機は起動応答器として実現されるが、通常はスリープモードにある。起動信号が更に車両により一定の間隔で送信される。識別信号送信機を備えた車両の運転者が車両の送信範囲に位置するとすぐに、識別信号送信機は“起動された”状態となり、その部分のため、その識別コードを車両に送信する。車両の中央のロッキングシステムがそれでアンロックされる。
【００１３】
もちろん、無線アクセス制御システムもまたイモビライザと組み合わせられ得る。イモビライザもまた、中央のロッキングシステムがアンロックされたとき、自動的にアンロックされる。
【００１４】
起動識別信号送信機を備えたアクセス制御システムは、互いに互換性がない。使用される技術は、車の製造業者毎に異なる。
【００１５】
起動識別信号送信機を備えたアクセス制御システムは、受動識別信号送信機を使用するアクセス制御システムと互換性が無い。
【００１６】
これは、人が複数のそのような識別信号送信機を自分で、例えば１つを彼のオフィスに、１つを彼の社用車に、もう１つを彼の私用車にしばしば持ち運ぶという情況につながる。識別信号送信機は、従来の機械キーよりも一般的に大きいので、そのような識別信号送信機の“束”は、すぐに重荷となる。
【００１７】
それゆえ、もし仮に複数の異なるアクセス制御システム及び設備の技術が互いに一致されるなら理想的である。そこでは、例えば特定の識別コードがある人に割り当てられてさらに様々な技術に利用され、それゆえその人が識別信号送信機を１つだけ自分で持ち運びさえすれば良いだろう。もっとも、この方向での努力は、未だ文句無しの成功にはつながっていない。
【発明の開示】
【発明が解決しようとする課題】
【００１８】
この背景に対して、本発明の目的は、少なくとも１つのアクセスポイントのための改良された携帯モジュラー無線識別信号送信機と改良された無線アクセス制御システムを提供することである。
【課題を解決するための手段】
【００１９】
上記目的は、次のような識別信号送信機、すなわち、ハウジングを有し、これが各々交換可能なシステムモジュールを収容するための少なくとも１つのレセプタクルを有していて、無線アクセス制御システムの識別コードがシステムモジュールに記憶されており、制御装置を有し、これがハウジングに常設的に配置されていて収容されているシステムモジュールの識別コードを読み取るように構成されており、少なくとも１つの送信装置を有し、これがハウジングに常設的に配置されていて、制御装置と共同して、アクセス制御システムの読み取り装置に収容されているシステムモジュールの識別コードを送信する目的を有し、この読み取り装置がアクセスポイントに割り当てられており、複数のアクセスポイントを複数の異なる無線アクセス制御技術で開放及び閉鎖するために識別信号送信機が使用され得る、ドア、ゲート等のような複数のアクセスポイントを遠隔で作動、特に開放及び／又は閉鎖する携帯モジュラー無線識別信号送信機によって達成される。
【００２０】
上記目的は、アクセス制御システムが、アクセスポイントのためのロックとアクセスポイントに割り当てられた読み取り装置を有し、有効な識別コードが受信されたときに、それがアクセスポイントを開放する目的でロックを作動させ、アクセス制御システムが、上記で指摘された少なくとも１つの携帯モジュラー識別信号送信機を有する、ドア又はゲートのような少なくとも１つのアクセスポイントのための無線アクセス制御システムによっても達成される。
【発明の効果】
【００２１】
本発明は、複数の異なるアクセス制御技術のための単一の物理的識別信号送信機を使用することを可能にする。
【００２２】
換言すれば、特定のアクセス制御技術に基づいたシステムモジュールが物理識別信号送信機と同じものに挿入され得る。代わりに更なるアクセス制御技術に基づいた別のシステムモジュールが挿入され得る。
【発明を実施するための形態】
【００２３】
識別信号送信機は、結局、モジュラー構成である。識別信号送信機に常設的に配置されている制御装置や送信装置のような複数のコンポーネントは、複数の異なるアクセス制御技術のための使用のために構成される。
【００２４】
従って、使用されるシステムモジュールに応じて、識別信号送信機は、複数の異なるアクセス制御設備のアクセスポイントを作動させるために使用され得る。
【００２５】
前述の目的はこのようにして十分に達成される。
【００２６】
もし識別信号送信機が読み取り装置からの複数の信号を受信するための受信装置をも有するなら、特に好ましい。
【００２７】
この場合、識別信号送信機が読み取り装置と双方向通信を確立するのに都合が良く、その結果として安全性が増大され得る。
【００２８】
もし送信装置及び／又は受信装置を形成するアンテナが、ハウジングに常設的に配置されるなら特に好ましい。
【００２９】
最も単純な場合、アンテナはコイルとしても良く、送信及び受信コイルとして使用されても良い。
【００３０】
もしハウジングが複数のレセプタクルを各々異なるシステムモジュールを収容するために有するなら特に好ましい。
【００３１】
この実施例において、複数の異なる技術を備えたシステムモジュールのために別体のレセプタクルがいずれの場合も設けられる。これは、各レセプタクルが各異なるシステムモジュールに正確に合わせられる限りにおいて有利である。
【００３２】
この実施例において、識別信号送信機は、特に様々な構成を有し、特に複数の異なるアクセス制御技術を備えた異なるシステムモジュールを同時に収容することを可能にする。
【００３３】
これは例えば物理的識別信号送信機と同じものが、一方で車両をアンロックすることに、他方で建築物へのアクセスを得ることに、適当であることを可能にしている。換言すれば、識別信号送信機は、所有者の車両のための及び彼のオフィスルームのための無線“キー”としての役割を果たす。この例は、所望のように発展され得る。例えば、複数の適当なシステムモジュールが収容されたとき、同じ識別信号送信機が所有者の第２車両及び／又は私邸の入口ドアをアンロック及びロックするために使用され得る。
【００３４】
このようにして、種々のアクセス領域のための複数の異なるアクセス制御技術が存在するにも関わらず、人は単一の物理識別信号送信機を自分で持ち運びさえすればよいことになる。
【００３５】
代わりに、レセプタクルが複数の異なるシステムモジュールを収容するのに適当とすることが可能である。
【００３６】
１つの好ましい実施例によれば、少なくとも１つのシステムモジュールが一体化された制御及び送信装置を有し、中央の制御装置又は送信装置への接続は何ら有さない。
【００３７】
この実施例において、モジュラー識別信号送信機は、それに応じて内部制御及び／又は送信装置と互換性の無い複数のシステムモジュール収容可能性を提供する。その結果として、識別信号送信機の有効性がさらに増加される。
【００３８】
もしアクセス制御システムの識別コードがハウジングに常設的に配置されるシステムモジュールに記憶されるなら、特に好ましい。
【００３９】
この実施例において、識別信号送信機は、この理由のため、１つのアクセス制御システムに永久的に割り当てられ、他のアクセス制御システムのシステムモジュールを収容することにより、モジュラー方式で拡大され得る。例えば、ハウジングに常設的に配置されたメモリに記憶された識別コードは、建築物の又は車両のアクセス制御システムの識別コードとしてもよい。複数のシステムモジュールを挿入することにより、例えば、更なるアクセス制御システムのための更なる車及び／又はシステムモジュールのため、この１つの識別信号送信機をモジュラー方式でこのようにして拡張することが可能である。
【００４０】
更なる好ましい実施例によれば、ハウジングはエネルギー貯蔵、たとえば電池又は蓄電池のためのレセプタクルを有する。
【００４１】
この手段は、複数の起動識別信号送信機を使用する複数のアクセス制御技術のために、識別信号送信機を使用することを可能にする。
【００４２】
もしレセプタクル内に挿入される再充電可能な蓄電池を充電するためのインターフェースがハウジングに設けられるなら特に好ましい。
【００４３】
結果として、頻繁に起こる電池交換が避けられる。識別信号送信機は、例えば所有者の私邸にある、適当な充電ユニット内に挿入されて良い。代わりに、もし、例えば識別信号送信機が車両の充電ポイントに接続されるなら、充電工程が車両のバッテリーを介して行われることも可能である。もし、識別信号送信機が機械キー（以下参照）を有するなら、金属から形成されるキーは充電インターフェースを形成し得る。
【００４４】
特に好ましい実施例によれば、プログラミング媒体（例えばコンピュータ）に接続するためのインターフェースがハウジングに設けられる。
【００４５】
これは、識別信号送信機の及び／又は収容された複数のシステムモジュールの制御装置がプログラムされることを許容する。例えば、識別コードを従来方式でこの接続を用いて変換することが考えられる。
【００４６】
加えて、もし制御装置がプログラム制御されたロッキング手段を有し、これを用いて個々のシステムモジュールがロックされてそれらの記憶された識別コードが送信されないようになっているなら好ましい。
【００４７】
この手段は、識別信号送信機が、収容された複数のシステムモジュールに関して、複数のシステムモジュールを物理的に取り除かなければならないということなくロックされ得るという利点を有する。これは、例えば、もし識別信号送信機がその所有者によりサードパーティ、例えば車両ワークショップに手渡されるなら、利点である。この場合、所有者は、例えば彼の私邸のためのシステムモジュールに関して、識別信号送信機をロックすることができ、権限のないアクセスが最初から防止されるようになっている。
【００４８】
もちろん、プログラム制御されたロッキング手段は、この点で、特に、ハウジングの適当なインターフェースを介して制御装置に接続され得るコンピュータにより、実行されることが可能である。
【００４９】
更なる実施例において、使用可能モジュールのためのレセプタクルがハウジングに設けられていて、もし使用可能モジュール収容されていない場合に、少なくとも１つのシステムモジュールがロックされてその記憶された識別コードが送信されないようになっている。
【００５０】
この実施例において、これは、プログラム制御されたロッキング手段の代わりに又はこれに追加的に、設けられると良いが、使用可能モジュールを単純に挿入及び取り外しすることにより、特定の複数のアクセス制御システムのための識別信号送信機をロックすることも可能である。
【００５１】
特に、もし識別信号送信機が予めプログラムされ、識別コードがハウジングの読み出し専用メモリに記憶されるなら、使用可能モジュールが全ての追加的に収容されたシステムモジュールをロック又はアンロックすることが可能である。
【００５２】
更なる好ましい実施例によれば、制御装置に接続された少なくとも１つの起動エレメントが、ハウジングの外側に設けられ、起動エレメントが起動されたときに制御装置が少なくとも１つのシステムモジュールの識別コードを読み出し、この制御装置が識別コードを送信する目的で送信装置を起動させる。
【００５３】
この実施例において、識別コードの送信は、所有者の起動介入により開始される。ここで起動エレメントの起動は、識別信号送信機にある全ての識別コードが送信されるという状況につながることが可能である。これは、例えばシリアルサクセッションで実行されて良い。代わりに、いずれの場合も別体の起動エレメントがこの目的のため１又はそれより多い識別コードのために設けられて良い。
【００５４】
更なる好ましい実施例によれば、制御装置は、受信装置が起動信号を受信したかどうかを定期的に応答させ、起動信号が受信されたとき、それが識別コードを送信する目的で少なくとも１つのシステムモジュールの識別コードを読み取って送信装置を作動させる。
【００５５】
この実施例において、制御装置は休止の状態の“スリープモード”であり、起動信号の受信により“目覚めさせられる”。制御装置はこうして識別信号を送信する。起動信号は一般にここでは読み取り装置により、作動されるべきアクセスポイントに送信される。
【００５６】
送信されるべき識別コードに含まれるものは、受信された起動信号の関数として、制御装置によって有利に検出される。従って、制御装置は更に、識別コードを送信する目的で、“アドレス指定された”システムモジュールを作動させる。もちろん、起動信号が、ハウジングに常設的に含まれたメモリからの識別コードの送信のトリガーとなることも可能である。
【００５７】
もし少なくとも１つの機械キーがハウジングに載置されて、突出したロッキング位置とハウジングに近接した残りの位置との間を移動可能、特にピボット可能になっているならまた有利である。
【００５８】
この手段は、識別信号送信機が“通常の”キーとして使用され得るという理由で、識別信号送信機のモジュラー性を拡大する。
【００５９】
もちろん、上記された構成及び以下に説明される構成は、それぞれ明記された組み合わせだけでなく、他の組み合わせ又は単独でも、本発明の範囲から離れることなく使用され得る。
【実施例】
【００６０】
本発明の典型的な実施例が、図面に描かれており、以下の詳細な説明により詳しく説明される。
【００６１】
アクセス制御装置は、図１において全体的に１０で示されている。
【００６２】
アクセス制御装置１０は、複数のアクセス制御設備Ａ、Ｂ、Ｃ及びＤで形成されている。
【００６３】
各アクセス制御設備Ａ、Ｂ、Ｃ及びＤは、無線アクセス制御のための別体の（セパレート）技術に基づいており、一般にどの場合も複数のアクセス制御システム１１を含んでいる。
【００６４】
アクセス制御設備Ａは、例えばアクセス制御システム１１Ａをオフィスのドア１２のために有している。アクセス制御システム１１Ａの読み取り機１４がドア１２に割り当てられている。
【００６５】
アクセス制御設備Ｂは、アクセス制御システム１１Ｂを私用の車庫１６のために有しており、これに読み取り機１８が割り当てられている。
【００６６】
アクセス制御設備Ｃは、アクセス制御システム１１Ｃを車両２０のために有しており、これに読み取り機２２が割り当てられている。
【００６７】
アクセス制御設備Ｄは、アクセス制御システム１１Ｄをレジャー機器２４、例えば第２車両２４のための有しており、これに読み取り器２６が割り当てられている。レジャー装置２４もまた、例えばスポーツ機器、ゴルフクラブのロッカー等へのアクセスポイントであっても良い。単純化のため、以下第２車両のみについて言及される。
【００６８】
アクセス制御設備Ａ、Ｂ、Ｃ及びＤは、各々異なる識別技術に基づくことが可能である。例えば、アクセス制御設備Ａは、特にオフィス建築物に適合させられる。
【００６９】
アクセス制御設備Ｂは、特に私邸に、とりわけ車庫のドアに適合させられる。アクセス制御設備Ｃ及びＤは、特に車両に適合させられる。とはいえ、特にもし車両２０と第２車両が異なる製造業者に由来するとき、例えばアクセス制御設備Ｃ及びＤはその識別技術の点で異なっていても良い。
【００７０】
全てのアクセス制御設備Ａ、Ｂ、Ｃ及びＤは、無線アクセス制御設備として構成され、これらはいずれも能動又は受動応答器技術に基づいており、複数の携帯識別信号送信機を用いて起動され得る。複数の識別信号送信機は、それ自体公知の方式で、能動又は受動送信機／受信機又は応答器をそれぞれ有する。各応答器は、各識別信号送信機に割り当てられていて独自に定義された識別コードでプログラムされていて、識別コードを送信するための少なくとも１つの送信装置を有する。
【００７１】
各アクセス制御設備Ａ、Ｂ、Ｃ、Ｄは、いずれの場合も別個の識別信号送信タイプを有し、各アクセス制御設備Ａ、Ｂ、Ｃ、Ｄの識別信号送信機が識別コードのみにおいて全体として異なるようになっている。それゆえ、プログラミングに応じて、複数の異なるアクセス制御システム１１のために、アクセス制御設備Ａ、Ｂ、Ｃ及びＤ内で物理的信号送信機と同じ物をプログラムすることが可能である。もっとも、複数の識別信号送信機は、種々のアクセス制御設備Ａ、Ｂ、Ｃ、Ｄの間で互換性はない。これは、アクセス制御設備Ａの複数の識別信号送信機が、別のアクセス制御設備の複数のアクセス制御システムに、それらのプログラミングとは関係無く一般に使用され得ないことを意味している。
【００７２】
各アクセス制御設備Ａ、Ｂ、Ｃ、Ｄの技術は、各識別コードのビット長の点で、送信及び受信周波数に関して、特に送信及び受信プロトコルに関して、両方の基準で異なっていても良い。これは、人がそのオフィス１２、その私邸（車庫１６）及びその車両２０及び２４にアクセスする目的で、複数のこのような識別信号送信機を通常は自分で持ち運ばなければならないことを意味している。
【００７３】
アクセス制御装置１０は、携帯モジュラー無線識別信号送信機３０を有し、これは、４つの全てのアクセス制御設備Ａ、Ｂ、Ｃ及びＤ共通の識別信号送信機として使用され得る。結局、これらの“世界”を互いに接続する識別信号送信機３０が、上位のアクセス制御装置１０を結果として生じている。
【００７４】
識別信号送信機３０は、概念的に示されたハウジング３２を有し、これに制御装置３４が常設的に配置されている。１つ又はそれより多いアンテナ３６は、トランシーバー装置として実現され、これもハウジング３２に常設的に配置される。
【００７５】
アクセス制御システム１１Ａのための、すなわちオフィス１２のためのシステムモジュール３８も、ハウジング３２に常設的に配置される。
【００７６】
システムモジュール３８は、識別コード４０を有し、これは例えば複数のビット（一般に４０又はそれより多いビット）からなる。
【００７７】
識別コード４０は、オフィス１２に割り当てられる。読み取り装置１４が識別コード４０を受信するとすぐに、識別信号送信機３０の所有者のためにオフィス１２へのアクセスが可能にされる。
【００７８】
アクセスという用語は、この文脈で広義に理解されるべきである。それは例えば、ドアがアンロックされ又は開放されることを意味し得る。
【００７９】
システムモジュール３８は、図１に別体のモジュールとして示されているが、それはまた制御装置３４に一体化され得る。
【００８０】
加えて、制御装置３４にエネルギーを供給する蓄電池４４の形状で、エネルギー貯蔵を行うための蓄電池レセプタクル４２が、ハウジング３２に設けられている。
【００８１】
加えて、複数の、この場合３つのレセプタクルが、更なる複数のシステムモジュールのために、識別信号送信機３０のハウジング３２に設けられている。
【００８２】
例えば、システム３２は、アクセス制御システム１１Ｃ（すなわち乗用車２０）のためのシステムモジュール５２のためのレセプタクル５０を有する。システムモジュール５２がレセプタクル５０に導入されるとすぐに、それはプラグタイプの接続部５４を用いて制御装置３４に接続される。制御装置３４は、システムモジュール５２に記憶された識別コード５６を読み出してそれをアンテナ３６を介して送信するように構成される。
【００８３】
結局、識別信号送信機３０は、車両２０の操作を許容するようにも構成される。
【００８４】
同様に、プッシュボタンキー４６は、ハウジング３２に包含されて外側からアクセス可能になっていて、これを用いて識別工程が開始され得る。プッシュボタンキー４６が押し下げられると、制御装置３４がシステムモジュール３８から識別コード５６を読み出し、それをアンテナ３６を介して送信する。もし車両２０がアンテナ３６の送信範囲に位置するなら、読み取り装置３２は送信された識別コード５６を読み出し、識別信号送信機３０の運搬者が有効な識別コード５６に基づいて車両２０にアクセスすることを許容する。
【００８５】
更なるレセプタクル６０には、アクセス制御システム１１Ｂのためのシステムモジュール６２が収容されていて、それはプラグタイプの接続部６４を用いて制御装置３４に接続されている。結局、制御装置３４は、システムモジュール６２に記憶された識別コード６６を読み出して、それを使用してアクセス制御システム１１Ｂを作動させることも可能である。
【００８６】
最後に、ハウジング３２は、プラグタイプ接続７４を介して制御装置３４に接続され得るシステムモジュール７２のためのレセプタクル７０を有している。
【００８７】
アクセス制御システム１１Ｄのための識別コード７６は、システムモジュール７２に記憶されている。システムモジュール７２は、アンテナ７８をも有し、これを介して、制御装置３４の制御下で、識別コード７６が送信される。
【００８８】
システムモジュールに“別体の”アンテナを設けることは、特にもしアンテナ３６が相対的に配置されない周波数でアクセス制御設備（ここではＤ）が作動するなら、好都合である。
【００８９】
特に、もしアクセス制御設備が複数の受動応答器を用いて作動する機器として構成されるなら、システムモジュールが制御装置３４への接続を全く持たない方式でそれを構成することも可能である。
【００９０】
加えて、ハウジング３２は、接続のための、例えばコンピュータ８２の（又は別のプログラミング媒体の）インターフェース８０を有する。
【００９１】
コンピュータ８２を用いて、プログラムに関して制御装置３４を例えばロックまたはアンロックすることが可能である。これは、制御装置３４がロックされたとき、識別信号送信機３０はもはや識別コードを送信しないことを意味している。この機能は、例えば、もし識別信号が特定の時間の間一般的に非活動状態にされるときに、使用されて良い。代わりに、個々のシステムモジュール（例えばＣ又はＤ）がロックされる方式で、コンピュータ８２を用いて制御装置３４をプログラムすることも可能である。これは、識別信号送信機３０が他の目的に悪用される危険無く、識別信号送信機３０をそっくりそのまま車２０又は２４の工場で引き渡すことを可能にしている。
【００９２】
もちろん、制御装置３４は、コンピュータ８２を用いて再度アンロックされることも可能である。
【００９３】
加えて、もし適当なら、コンピュータ８２を使用して、常設的に収容されたシステムモジュールＡを再プログラムし、及び／又は収容された１又はそれより多いシステムモジュールＢ、Ｃ及びＤを再プログラムすることが可能である。
【００９４】
識別信号送信機３０のハウジング３２は、使用可能モジュール８６を収容するための使用可能モジュールレセプタクル８４を有する。
【００９５】
もし使用可能モジュール８６がレセプタクル８４に収容されてそれに応じて制御装置３４に接続されるなら、制御装置３４は使用可能にされて全ての識別コードを送信できる。もし使用可能モジュール８６が取り除かれると、送信装置３４はロックされる。
【００９６】
使用可能モジュール８６は、結局、ハードウェアロックとして構成され、これはコンピュータ８２によりソフトウェアロックに対して交替的に又は追加的にセットアップされ得る。
【００９７】
図２は、識別信号送信機１００の更なる実施例を示す。
【００９８】
識別信号送信機１００は、図１のアクセス制御装置１０の識別信号送信機３０と同じ原理に基づいている。
【００９９】
結局、識別信号送信機３０に関して上記されたことは、別段の明示的な記載が無い限り、識別信号送信機１００に対して等しく適用される。
【０１００】
アクセス制御システム１１Ｃのためのシステムモジュール５２は、識別信号送信機１００に常設的に配置されていて、アクセス制御システムＡ、Ｂ及びＤのための複数のシステムモジュールは、モジュラー構成である。
【０１０１】
識別信号送信機１００は、ほぼ平行六面体のハウジング１０２を有する。加えて、３つのプッシュボタンキーである閉鎖キー１０４、開放キー１０６及び補充キー１０８が、ハウジング１０２の広い側に設けられている。
【０１０２】
全ての３つのプッシュボタンキーは、制御装置３４に接続されていて、アクセスポイントの開放及び閉鎖又は補充機能（例えば手荷物スペースの蓋の開放）の実行という目的を有している。
【０１０３】
回転軸１１０は、ハウジング１０２の広い両側面に関して垂直に延在していて、ハウジング１０２の１コーナーに形成されている。機械キー１１２は、回転軸１１０に回転可能に載置されている。実線で示された休止位置において、キー１１２は、ハウジング１０２の狭い側と平行な適当なレセプタクルに折りたたまれて横たわっている。出された状態で、１１２’の点線で示されるように、キーはハウジング１０２に関して垂直に突出している。この位置で、識別信号送信機１００は、通常のキーとして、例えば車両のイグニションロックのために使用され得る。
【０１０４】
最後に、ハウジング１０２は、ハウジング１０２の内部に配置された再充電可能な蓄電池のために、２つの充電接点１１４を有している。充電接点１１４を別体にする代替手段として、キー１１２を充電接点として使用することも可能である。
【図面の簡単な説明】
【０１０５】
【図１】本発明によるモジュラー無線識別信号送信機を有するアクセス制御装置の概略図。
【図２】本発明による識別信号送信機の更なる実施例を示す概略斜視図。
【符号の説明】
【０１０６】
１０  アクセス制御装置
１１Ａ、１１Ｂ、１１Ｃ  アクセス制御システム
１２  ドア
１６  車庫
１４、１８、２２  読み取り機
３０、１００  識別信号送信機
３２、１０２  ハウジング
３４  制御装置
３６、７８  アンテナ
３８、５２、６２、７２  システムモジュール
４０、５６、６６、７６  識別コード
４２、５０、６０、８４  レセプタクル
４４  蓄電池
４６  プッシュボタンキー
５４、６４、７４  プラグタイプ接続部
８２  コンピュータ
８６  使用可能モジュール
１０４  閉鎖キー
１０６  開放キー
１０８  補充キー
１１０  回転軸
１１２  機械キー
１１４  充電接点
【図１】
2006505967.tif 000003
【図２】
2006505967.tif 000004
【国際調査報告】
2006505967.tif 000005
2006505967.tif 000006
2006505967.tif 000007
2006505967.tif 000008
2006505967.tif 000009
2006505967.tif 000010